(57)【要約】【課題】再生出力装置から出力するＡＶ信号を、ＩＥＥＥ１３９４で接続されたＡＶ信号受信機器側で復号化できるものにする。【解決手段】再生部１０によって再生されたＡＶ信号は復号部２０によって復号化され、ＭＰＥＧ２−ＴＳエンコーダ３１に入力されＭＰＥＧ２−ＴＳストリームに、ＤＶエンコーダ３２へ入力されＤＶストリームへ符号化される。エンコーダ３１，３２によって符号化されたＡＶ信号のうち選択部４０で選択された符号化方式のＡＶ信号がＩＥＥＥ１３９４インタフェース５０を介してＡＶ信号受信機器へ出力される。【選択図】  図２
2004274373.tif 000002
【特許請求の範囲】
【請求項１】
符号化されたＡＶ信号を記録媒体から読み出す再生部と、
前記再生部によって読み出されたＡＶ信号を復号化する復号部と、
前記復号部によって復号化されたＡＶ信号を複数の符号化方式で符号化し複数のストリームを得ることができるエンコーダ部と、
前記エンコーダ部によって得られた複数のストリームのうち所望のストリームを選択する選択部と、
前記選択部によって選択されたストリームを出力するインタフェースとを備える
ことを特徴とする再生出力装置。
【請求項２】
請求項１において、
前記エンコーダ部は、
前記復号部によって得られたＡＶ信号をＭＰＥＧ２−ＴＳストリームに符号化するＭＰＥＧ２−ＴＳエンコーダと、
前記復号部によって得られたＡＶ信号をＤＶストリームに符号化するＤＶエンコーダとを含む
ことを特徴とする再生出力装置。
【請求項３】
請求項１において、
前記エンコーダ部は、
ソフトウェア処理によって前記複数のストリームを得る
ことを特徴とする再生出力装置。
【請求項４】
請求項１において、
前記インタフェースは、
複数の機器に対して複数のストリームを同時に出力する
ことを特徴とする再生出力装置。
【請求項５】
請求項１において、
受信側の装置において受信可能なストリームに関する情報を取得し、この情報に基づいて、前記選択部による選択を制御する情報解析部をさらに備える
ことを特徴とする再生出力装置。
【請求項６】
請求項１において、
利用者からの選択指示に基づいて、前記選択部による選択を制御するユーザインタフェースをさらに備える
ことを特徴とする再生出力装置。
【請求項７】
請求項１において、
受信側の装置のＳｕｂｕｎｉｔ情報を取得し、この情報に基づいて、前記選択部による選択を制御するＳｕｂｕｎｉｔ情報解析部をさらに備える
ことを特徴とする再生出力装置。
【請求項８】
請求項１において、
受信側の装置で復号化可能なＡＶ信号に関する情報を取得し、この情報に基づいて、前記選択部による選択を制御する復号化能力解析部をさらに備える
ことを特徴とする再生出力装置。
【請求項９】
請求項１において、
受信側の装置のＣｏｎｆｉｇｕｒａｔｉｏｎ  ＲＯＭに関する情報を取得し、この情報に基づいて、前記選択部による選択を制御するＣｏｎｆｉｇｕｒａｔｉｏｎ  ＲＯＭ解析部をさらに備えることを特徴とする再生出力装置。
【請求項１０】
請求項１において、
前記記録媒体には、視聴情報が付加されたコンテンツが記録されており、
前記再生出力装置は、
受信側の装置の視聴に関する情報を取得し、この情報に基づいて、前記選択部による選択を制御する視聴情報解析部をさらに備える
ことを特徴とする再生出力装置。
【請求項１１】
請求項１において、
前記選択部は、
コンテンツに記録されたメディアから符号化されたＡＶ信号を前記所望のストリームとして選択可能である
ことを特徴とする再生出力装置。
【請求項１２】
請求項１１において、
前記インタフェースは、
同期式のＡＶ信号および非同期式のＡＶ情報を出力する
ことを特徴とする再生出力装置。
【請求項１３】
コンテンツが記録されたメディアから符号化されたＡＶ信号を読み出す再生部と、
前記再生部によって読み出されたＡＶ信号を復号化するためのソフトウェアと、
前記ソフトウェアおよび前記ＡＶ信号を受信機器側へ出力するインタフェースとを備え、
前記受信機器は、
符号化されたＡＶ信号を復号化する、書き換え可能なソフトウェア処理型の復号部を内蔵している
ことを特徴とする再生出力装置。
【発明の詳細な説明】
【０００１】
【発明の属する技術分野】
この発明は再生出力装置に関し、さらに詳しくは、符号化されたＡＶ信号を記録媒体から読み出し、ＩＥＥＥ１３９４インタフェースに代表されるような、符号化されたＡＶ信号の符号化方式を変更することなく転送可能なインタフェースを介して出力する装置に関する。
【０００２】
【従来の技術】
ＩＥＥＥ１３９４インタフェースを備えた再生出力装置では、符号化されたＡＶ信号を記録媒体から読み出し、その符号化方式を変更することなくＩＥＥＥ１３９４インタフェースを介して出力している。たとえば、記録媒体から読み出したＡＶ信号がＭＰＧＥ２−ＴＳストリームであればそのＭＰＥＧ２−ＴＳストリームをＩＥＥＥ１３９４インタフェースを介して出力し、ＤＶストリームであればそのＤＶストリームをＩＥＥＥ１３９４インタフェースを介して出力している。
【０００３】
【特許文献１】
特開２０００―３１６０１５号公報
【０００４】
【発明が解決しようとする課題】
上述の再生出力装置から出力されるＡＶ信号がＭＰＥＧ２−ＴＳストリームである場合において受信側の装置にＭＰＥＧ２−ＴＳストリームを復号化する能力がないときには、有効に扱うことのできないＡＶ信号が入力されることになり受信側の装置においてＡＶ信号を映像・音声へ復号化することができない。同様に、再生出力装置から出力されるＡＶ信号がＤＶストリームである場合において受信側の装置にＤＶストリームを復号化する能力がないときには、有効に扱うことのできないＡＶ信号が入力されることになり受信側の装置においてＡＶ信号を映像・音声へ復号化することができない。
【０００５】
この発明の目的は、受信側の装置で有効に扱えるＡＶ信号を出力する再生出力装置を提供することである。
【０００６】
【課題を解決するための手段】
本発明の再生出力装置は、再生された符号化信号を復号化する復号部と、復号化されたＡＶ信号を転送可能な複数のストリーム形式に再度符号化するエンコーダ部と、目的のストリームを選択する選択部と、符号化されたストリームを出力するＩＥＥＥ１３９４での構成を有している。
【０００７】
この構成によって、再生出力装置から出力されＩＥＥＥ１３９４で接続されているＡＶ信号受信機器へ入力されたＡＶ信号を映像・音声へ復号化できるという効果が得られる。
【０００８】
【発明の実施の形態】
以下、この発明の実施の形態を図面を参照して詳しく説明する。なお、図中同一または相当部分には同一の符号を付しその説明は繰り返さない。
【０００９】
（第１の実施形態）
第１の実施形態による再生出力装置の構成を図１に示す。この装置１００は、記録媒体から再生された符号化されたＡＶ信号を、ＩＥＥＥ１３９４で接続されたＡＶ信号受信機器（図示せず）が有効に扱うことのできる符号化方式へと変換して出力する装置である。図１に示す再生出力装置１００は、再生部１０と、復号部２０と、エンコーダ部３０と、選択部４０と、ＩＥＥＥ１３９４インタフェース５０とを備える。再生部１０は、符号化されたＡＶ信号を記録媒体（図示せず）から読み出す。復号部２０は、再生部１０によって再生されたＡＶ信号を復号化する。エンコーダ部３０は、復号部２０によって復号されたＡＶ信号を複数のストリーム形式に符号化する。エンコーダ部３０は、ＭＰＥＧ２−ＴＳエンコーダ３１と、ＤＶエンコーダ３２とを含む。ＭＰＥＧ２−ＴＳエンコーダ３１は、復号部２０によって復号化されたＡＶ信号をＭＰＥＧ２−ＴＳストリームへ符号化する。ＤＶエンコーダ３２は、復号部２０によって復号化されたＡＶ信号をＤＶストリームへ符号化する。選択部４０は、エンコーダ３１によって得られたＭＰＥＧ２−ＴＳストリームおよびエンコーダ３２によって得られたＤＶストリームのうちのどちらか一方あるいは両方を選択する。ＩＥＥＥ１３９４インタフェース５０は、選択部４０によって選択されたストリームを出力する。ＩＥＥＥ１３９４インタフェース５０から出力されたストリームは、ＩＥＥＥ１３９４バスによって接続された受信機器に伝送される。
【００１０】
次に、以上のように構成された再生出力装置の動作について図２を参照しつつ説明する。
【００１１】
再生部１０によって再生されたＡＶ信号は復号部２０によって復号化され、エンコーダ部３０のＭＰＥＧ２−ＴＳエンコーダ３１に入力されＭＰＥＧ２−ＴＳストリームに、またＤＶエンコーダ３２へ入力されＤＶストリームへ符号化される。エンコーダ３１，３２によって符号化されたＡＶ信号のうち選択部４０で選択された符号化方式のＡＶ信号がＩＥＥＥ１３９４インタフェース５０を介してＡＶ信号受信機器へ出力される。たとえば、受信機器にＭＰＥＧ２−ＴＳストリームを復号化する能力はあるけれどもＤＶストリームを復号化する能力はない場合には、ＭＰＥＧ２−ＴＳエンコーダ３１によって符号化されたＡＶ信号を選択部４０で選択し、これをＩＥＥＥ１３９４インタフェース５０を介して出力する。一方、受信機器にＤＶストリームを復号化する能力はあるけれどもＭＰＥＧ２−ＴＳストリームを復号化する能力はない場合には、ＤＶエンコーダ３２によって符号化されたＡＶ信号を選択部４０で選択し、これをＩＥＥＥ１３９４インタフェース５０を介して出力する。
【００１２】
以上のように本実施の形態によれば、再生したＡＶ信号を出力するときに、ＭＰＥＧ２−ＴＳストリームもしくはＤＶストリームなど所望の符号化方式を選択して出力できる。これにより、受信側の機器で有効に扱えるＡＶ信号を出力することができる。すなわち、ＩＥＥＥ１３９４で接続されている受信機器側で映像・音声へ復号化できるＡＶ信号を出力することができる。
【００１３】
なお、エンコーダ部３０およびエンコーダ部３０に属するＭＰＥＧ２−ＴＳエンコーダ３１，ＤＶエンコーダ３２はソフトウェア処理型であってもよい。
【００１４】
また、ＩＥＥＥ１３９４インタフェース５０が複数チャネルを備える場合には、同時にＭＰＥＧ２−ＴＳストリームとＤＶストリームなどの複数のストリームあるいは同一のストリームを複数のＡＶ信号受信機器へ出力することもできる。
【００１５】
（第２の実施形態）
第２の実施形態による再生出力装置の構成を図３に示す。この装置２００は、図１に示した装置１００の構成要素に加えて情報解析部６０をさらに備える。その他の構成は図１に示した装置１００と同様である。情報解析部６０は、ＩＥＥＥ１３９４で接続されたＡＶ信号受信機器の受信可能な（復号化可能な）ストリーム情報を獲得し、この情報に基づいて選択部４０を制御する。選択部４０は、情報解析部６０による制御に基づいて、エンコーダ３１によって得られたＭＰＥＧ２−ＴＳストリームおよびエンコーダ３２によって得られたＤＶストリームのうちのどちらか一方あるいは両方を選択する。
【００１６】
次に、以上のように構成された再生出力装置２００の動作について図４を参照しつつ説明する。
【００１７】
再生部１０によって再生されたＡＶ信号は復号部２０によって復号化され、エンコーダ部３０に属するＭＰＥＧ２−ＴＳエンコーダ３１に入力されＭＰＥＧ２−ＴＳストリームに、またＤＶエンコーダ３２へ入力されＤＶストリームへ符号化される。情報解析部６０は、ＩＥＥＥ１３９４で接続されたＡＶ信号受信機器の受信可能な（復号化可能な）ストリーム情報を獲得し、この情報に基づいて、選択すべきストリームを選択部４０に指示する。たとえば、ＭＰＥＧ２−ＴＳストリームを受信可能であることを獲得した情報が示している場合には、ＭＰＥＧ２−ＴＳエンコーダ３１によって符号化されたＡＶ信号を選択するよう選択部４０に指示する。一方、ＤＶストリームを受信可能であることを獲得した情報が示している場合には、ＤＶエンコーダ３２によって符号化されたＡＶ信号を選択するよう選択部４０に指示する。選択部４０によって選択されたＡＶ信号はＩＥＥＥ１３９４インタフェース５０を介して出力される。
【００１８】
以上のように本実施の形態によれば、再生したＡＶ信号を出力するときに、受信機器の受信可能情報に基づいてＭＰＥＧ２−ＴＳストリームもしくはＤＶストリームなどストリームを選択してＩＥＥＥ１３９４に出力できる。
【００１９】
（第３の実施形態）
第３の実施形態による再生出力装置の構成を図５に示す。この装置３００は、図１に示した装置１００の構成要素に加えてユーザインタフェース７０をさらに備える。その他の構成は図１に示した装置１００と同様である。ユーザインタフェース７０は、エンコーダ３１によって得られたＭＰＥＧ２−ＴＳストリームおよびエンコーダ３２によって得られたＤＶストリームのうちのどちらか一方あるいは両方をユーザに選択させる。ユーザインタフェース７０としては、ＧＵＩ（Ｇｒａｐｈｉｃ  Ｕｓｅｒ  Ｉｎｔｅｒｆａｃｅ）やボタンなどが挙げられる。選択部４０は、ユーザインタフェース７０によって利用者に選択されたストリームを選択する。
【００２０】
次に、以上のように構成された再生出力装置３００の動作について図６を参照しつつ説明する。
【００２１】
再生部１０により再生されたＡＶ信号は復号部２０によって復号化され、エンコーダ部３０に属するＭＰＥＧ２−ＴＳエンコーダ３１に入力されＭＰＥＧ２−ＴＳストリームに符号化される。また、復号部２０によって復号化されたＡＶ信号はＤＶエンコーダ３２へ入力されＤＶストリームへ符号化される。ユーザインタフェース７０によりユーザーが選択した符号化方式のＡＶ信号が選択部４０によって選択される。選択部４０によって選択されたＡＶ信号はＩＥＥＥ１３９４インタフェース５０を介して出力される。
【００２２】
以上のように本実施の形態によれば、ＭＰＥＧ２−ＴＳストリームまたはＤＶストリームに符号化された再生信号のうち、ユーザーがユーザインタフェース７０を介して任意な符号化されたＡＶ信号をＩＥＥＥ１３９４に出力できる。
【００２３】
（第４の実施形態）
第４の実施形態による再生出力装置の構成を図７に示す。この装置４００は、図１に示した装置１００の構成要素に加えてＳｕｂｕｎｉｔ解析部８０をさらに備える。その他の構成は図１に示した装置１００と同様である。Ｓｕｂｕｎｉｔ解析部８０は、ＩＥＥＥ１３９４で接続されたＡＶ信号受信機器のＳｕｂｕｎｉｔの情報を獲得し、この情報に基づいて選択部４０を制御する。選択部４０は、Ｓｕｂｕｎｉｔ解析部８０による制御に基づいて、エンコーダ３１によって得られたＭＰＥＧ２−ＴＳストリームおよびエンコーダ３２によって得られたＤＶストリームのうちのどちらか一方あるいは両方を選択する。
【００２４】
次に、以上のように構成された再生出力装置４００の動作について図８を参照しつつ説明する。
【００２５】
再生部１０により再生されたＡＶ信号は復号部２０によって復号化され、エンコーダ部３０に属するＭＰＥＧ２−ＴＳエンコーダ３１に入力されＭＰＥＧ２−ＴＳストリームに符号化される。また、復号部２０によって復号化されたＡＶ信号はＤＶエンコーダ３２へ入力されＤＶストリームへ符号化される。Ｓｕｂｕｎｉｔ解析部８０は、ＩＥＥＥ１３９４のＡＶ／ＣコマンドのＳＵＢＮＩＴ  ＩＮＦＯコマンドなどにより相手機器のＳｕｂｕｎｉｔ情報を獲得し、この情報に基づいて、選択すべきストリームを選択部４０に指示する。Ｓｕｂｕｎｉｔ解析部８０からの指示に基づいて選択部４０によって選択されたＡＶ信号はＩＥＥＥ１３９４インタフェース５０を介して出力される。
【００２６】
以上のように本実施の形態によれば、ＭＰＥＧ２−ＴＳストリームまたはＤＶストリームに符号化された再生信号を、ＡＶ機器（再生出力装置４００）がＳｕｂｕｎｉｔ情報を取得する過程で決定しＡＶ信号をＩＥＥＥ１３９４に出力できる。
【００２７】
（第５の実施形態）
第５の実施形態による再生出力装置の構成を図９に示す。この装置５００は、図１に示した装置１００の構成要素に加えて復号化能力解析部９０をさらに備える。その他の構成は図１に示した装置１００と同様である。復号化能力解析部９０は、ＩＥＥＥ１３９４で接続されたＡＶ信号受信機器の復号化能力に関する情報を獲得し、この情報に基づいて選択部４０を制御する。選択部４０は、復号化能力解析部９０による制御に基づいて、エンコーダ３１によって得られたＭＰＥＧ２−ＴＳストリームおよびエンコーダ３２によって得られたＤＶストリームのうちのどちらか一方あるいは両方を選択する。
【００２８】
次に、以上のように構成された再生出力装置５００の動作について図１０を参照しつつ説明する。
【００２９】
再生部１０により再生されたＡＶ信号は復号部２０によって復号化され、エンコーダ部３０に属するＭＰＥＧ２−ＴＳエンコーダ３１に入力されＭＰＥＧ２−ＴＳストリームに符号化される。また、復号部２０によって復号化されたＡＶ信号はＤＶエンコーダ３２へ入力されＤＶストリームへ符号化される。復号化能力解析部９０は、ＩＥＥＥ１３９４のＶｅｎｄｏｒ  ｕｎｉｑｕｅコマンドなどにより相手機器の復号化能力についての情報を獲得し、この情報に基づいて、選択すべきストリームを選択部４０に指示する。復号化能力解析部９０からの指示に基づいて選択部４０によって選択されたＡＶ信号はＩＥＥＥ１３９４インタフェース５０を介して出力される。
【００３０】
以上のように本実施の形態によれば、ＭＰＥＧ２−ＴＳストリームまたはＤＶストリームに符号化された再生信号を、Ｖｅｎｄｏｒ  ｕｎｉｑｕｅコマンドなどを解釈できる機器間で無駄なく判断しＩＥＥＥ１３９４に出力できる。
【００３１】
（第６の実施形態）
第６の実施形態による再生出力装置の構成を図１１に示す。この装置６００は、図１に示した装置１００の構成要素に加えてＣｏｎｆｉｇｕｒａｔｉｏｎ  ＲＯＭ解析部６０１をさらに備える。その他の構成は図１に示した装置１００と同様である。Ｃｏｎｆｉｇｕｒａｔｉｏｎ  ＲＯＭ解析部６０１は、ＩＥＥＥ１３９４で接続されたＡＶ信号受信機器のＣｏｎｆｉｇｕｒａｔｉｏｎ  ＲＯＭに関する情報を獲得し、この情報に基づいて選択部４０を制御する。選択部４０は、Ｃｏｎｆｉｇｕｒａｔｉｏｎ  ＲＯＭ解析部６０１による制御に基づいて、エンコーダ３１によって得られたＭＰＥＧ２−ＴＳストリームおよびエンコーダ３２によって得られたＤＶストリームのうちのどちらか一方あるいは両方を選択する。
【００３２】
次に、以上のように構成された再生出力装置６００の動作について図１２を参照しつつ説明する。
【００３３】
再生部１０により再生されたＡＶ信号は復号部２０によって復号化され、エンコーダ部３０に属するＭＰＥＧ２−ＴＳエンコーダ３１に入力されＭＰＥＧ２−ＴＳストリームに符号化される。また、復号部２０によって復号化されたＡＶ信号はＤＶエンコーダ３２へ入力されＤＶストリームへ符号化される。Ｃｏｎｆｉｇｕｒａｔｉｏｎ  ＲＯＭ解析部６０１は、相手機器のＣｏｎｆｉｇｕｒａｔｉｏｎ  ＲＯＭについての情報を獲得し、この情報に基づいて、選択すべきストリームを選択部４０に指示する。Ｃｏｎｆｉｇｕｒａｔｉｏｎ  ＲＯＭ解析部６０１からの指示に基づいて選択部４０によって選択されたＡＶ信号はＩＥＥＥ１３９４インタフェース５０を介して出力される。
【００３４】
以上のように本実施の形態によれば、ＭＰＥＧ２−ＴＳストリームまたはＤＶストリームに符号化された再生信号を、機器認識の取得の過程で決定しＩＥＥＥ１３９４に出力できる。
【００３５】
（第７の実施形態）
第７の実施形態による再生出力装置の構成を図１３に示す。この装置７００は、視聴情報を付加するコンテンツが記録された記録媒体から符号化されたＡＶ信号を読み出し、ＩＥＥＥ１３９４で接続されたＡＶ信号受信機器が許可された有効に扱うことのできる符号化方式へと変換して出力する。この装置７００は、図１に示した装置１００の構成要素に加えて視聴情報解析部７０１をさらに備える。その他の構成は図１に示した装置１００と同様である。視聴情報解析部７０１は、ＩＥＥＥ１３９４で接続されたＡＶ信号受信機器の視聴に関する情報を獲得し、この情報に基づいて選択部４０を制御する。選択部４０は、視聴情報解析部７０１による制御に基づいて、エンコーダ３１によって得られたＭＰＥＧ２−ＴＳストリームおよびエンコーダ３２によって得られたＤＶストリームのうちのどちらか一方あるいは両方を選択する。なお、視聴情報解析部７０１は、視聴制限によりＩＥＥＥ１３９４の出力を禁止するために、再生部１０の読み出しを停止させることもできる。
【００３６】
次に、以上のように構成された再生出力装置７００の動作について図１４を参照しつつ説明する。
【００３７】
再生部１０により再生されたＡＶ信号は復号部２０によって復号化され、エンコーダ部３０に属するＭＰＥＧ２−ＴＳエンコーダ３１に入力されＭＰＥＧ２−ＴＳストリームに符号化される。また、復号部２０によって復号化されたＡＶ信号はＤＶエンコーダ３２へ入力されＤＶストリームへ符号化される。視聴情報解析部７０１は、ＩＥＥＥ１３９４から読み込んだ視聴情報に基づいて判断した符号化方式および視聴許可に従って選択部４０を制御する。視聴情報解析部７０１による制御に基づいて選択部４０によって選択されたＡＶ信号はＩＥＥＥ１３９４インタフェース５０を介して出力される。
【００３８】
以上のように本実施の形態によれば、ＭＰＥＧ２−ＴＳストリームまたはＤＶストリームに符号化された再生信号を、視聴情報の取得の過程で決定しＩＥＥＥ１３９４に出力または禁止できる。
【００３９】
（第８の実施形態）
第８の実施形態による再生出力装置の構成を図１５に示す。この装置８００は、再生部１０と、復号部２０と、エンコーダ部３０と、選択部９０１と、ＩＥＥＥ１３９４インタフェース５０とを備える。選択部４０は、同期式ＡＶ信号（エンコーダ３１によって得られたＭＰＥＧ２−ＴＳストリームまたはエンコーダ３２によって得られたＤＶストリーム）、あるいは再生部１０から読み出された非同期式ＡＶ情報を選択する。ＩＥＥＥ１３９４インタフェース５０は、選択部４０によって選択された同期式ＡＶ信号または非同期式ＡＶ情報を出力する。
【００４０】
次に、以上のように構成された再生出力装置の動作について図１６を参照しつつ説明する。
【００４１】
再生部１０から再生されたＡＶ信号は復号部２０によって復号化され、エンコーダ部３０に属するＭＰＥＧ２−ＴＳエンコーダ３１に入力されＭＰＥＧ２−ＴＳストリームに、またＤＶエンコーダ３２へ入力されＤＶストリームへ符号化される。選択部９０１は、符号化された同期式ＡＶ信号または再生部１０から直接入力される非同期式ＡＶ情報を選択し、ＩＥＥＥ１３９４インタフェース５０を介して接続されたＡＶ信号受信機器へ出力する。
【００４２】
以上のように本実施の形態によれば、再生したＡＶ信号を出力するときに、ＭＰＥＧ２−ＴＳストリームもしくはＤＶストリームなどの同期式ＡＶ信号、あるいは再生した非同期ＡＶ情報を選択してＩＥＥＥ１３９４に出力できる。
【００４３】
（第９の実施形態）
第９の実施形態による再生出力システムの構成を図１７に示す。このシステムは、記録媒体から再生された符号化されたＡＶ信号を、ＩＥＥＥ１３９４で接続されたＡＶ信号受信機器がソフトウェア処理型の復号部により出力するシステムである。図１７において、９００は再生出力装置、１０は再生部、９０１は再生されたＡＶ信号を復号化するためのソフトウェア、５０は符号化されたＡＶ信号およびソフトウェアを出力するＩＥＥＥ１３９４インタフェース、１０００はＡＶ信号受信機器、１００１は符号化されたＡＶ信号およびソフトウェアを入力するＩＥＥＥ１３９４インタフェース、１００２はソフトウェア処理型の復号部である。
【００４４】
以上のように構成されたシステムの動作について図１８を参照しつつ説明する。
【００４５】
再生部１０から再生されたＡＶ信号の符号化方式に応じて、ＡＶ復号ソフトウェア９０１をＩＥＥＥ１３９４インタフェース５０を介して、ＡＶ信号受信機器１０００側のＩＥＥＥ１３９４インタフェース１００１に転送し、復号部１００２のソフトウェア格納部に記憶させる。続いて、再生部１０から再生されたＡＶ信号をＩＥＥＥ１３９４インタフェース５０を介して、ＡＶ信号受信機器１０００側のＩＥＥＥ１３９４インタフェース１００１に転送し、ソフトウェア処理型の復号部１００２により復号化される。
【００４６】
以上のように本実施の形態によれば、再生したＡＶ信号に応じた復号化方式の復号部１００２を受信側のＡＶ信号受信機器１０００で構成することができる。
【００４７】
なお、各実施形態に記載される再生出力装置と受信機器を接続するインタフェースはＩＥＥＥ１３９４に限定されず、符号化されたＡＶ信号の符号化方式を変更することなく転送可能なインタフェースであれば同様に実施可能である。
【００４８】
【発明の効果】
以上のように本発明は、ＩＥＥＥ１３９４で接続された機器間で、ＡＶ信号を出力する再生出力装置が受信機器に有効な信号を送出できることで、受信機器がＡＶ信号を映像・音声へと復号できるという優れた効果が得られる。
【図面の簡単な説明】
【図１】第１の実施形態による再生出力装置の構成を示すブロック図である。
【図２】図１に示した再生出力装置のシーケンス図である。
【図３】第２の実施形態による再生出力装置の構成を示すブロック図である。
【図４】図３に示した再生出力装置のシーケンス図である。
【図５】第３の実施形態による再生出力装置の構成を示すブロック図である。
【図６】図５に示した再生出力装置のシーケンス図である。
【図７】第４の実施形態による再生出力装置の構成を示すブロック図である。
【図８】図７に示した再生出力装置のシーケンス図である。
【図９】第５の実施形態による再生出力装置の構成を示すブロック図である。
【図１０】図９に示した再生出力装置のシーケンス図である。
【図１１】第６の実施形態による再生出力装置の構成を示すブロック図である。
【図１２】図１１に示した再生出力装置のシーケンス図である。
【図１３】第７の実施形態による再生出力装置の構成を示すブロック図である。
【図１４】図１３に示した再生出力装置のシーケンス図である。
【図１５】第８の実施形態による再生出力装置の構成を示すブロック図である。
【図１６】図１５に示した再生出力装置のシーケンス図である。
【図１７】第９の実施形態による再生出力システムの構成を示すブロック図である。
【図１８】図１７に示したシステムのシーケンス図である。
【符号の説明】
１０  再生部、２０  復号部、３０  エンコーダ部、３１  ＭＰＥＧ２−ＴＳエンコーダ、３２  ＤＶエンコーダ、４０  選択部、５０  ＩＥＥＥ１３９４インタフェース、６０  情報解析部、７０  ユーザーインターフェイス、８０  Ｓｕｂｕｎｉｔ解析部、９０  復号化能力解析部、６０１  Ｃｏｎｆｉｇｕｒａｔｉｏｎ  ＲＯＭ解析部、７０１  視聴情報解析部
【図１】
2004274373.tif 000003
【図２】
2004274373.tif 000004
【図３】
2004274373.tif 000005
【図４】
2004274373.tif 000006
【図５】
2004274373.tif 000007
【図６】
2004274373.tif 000008
【図７】
2004274373.tif 000009
【図８】
2004274373.tif 000010
【図９】
2004274373.tif 000011
【図１０】
2004274373.tif 000012
【図１１】
2004274373.tif 000013
【図１２】
2004274373.tif 000014
【図１３】
2004274373.tif 000015
【図１４】
2004274373.tif 000016
【図１５】
2004274373.tif 000017
【図１６】
2004274373.tif 000018
【図１７】
2004274373.tif 000019
【図１８】
2004274373.tif 000020